(57)【要約】【課題】スタックやモジュールをコンパクトにすることができるとともに、ガス改質部を効率良く加熱することができる固体電解質形燃料電池モジュールを提供すること。【解決手段】固体電解質形燃料電池モジュール１は、固体電解質形燃料電池セル３を複数積層した固体電解質形燃料電池スタック４と、燃料ガスの改質を行う層状のガス改質部５を備えている。このガス改質部５は、固体電解質形燃料電池スタック４の積層方向の下端側に配置されており、固体電解質形燃料電池スタック４と一体化している。【選択図】図２
2008021596.tif 000002
【特許請求の範囲】
【請求項１】
燃料ガスに接する燃料極と酸化剤ガスに接する空気極とを有する固体電解質体を備えた固体電解質形燃料電池セルを、複数積層した固体電解質形燃料電池スタックと、
前記燃料極に供給する前記燃料ガスの改質を行うガス改質部と、
を備えるとともに、
前記固体電解質形燃料電池スタックの積層方向の下端側に前記ガス改質部を配置して、前記固体電解質形燃料電池スタックと一体化したことを特徴とする固体電解質形燃料電池モジュール。
【請求項２】
前記ガス改質部は層状であり、前記固体電解質形燃料電池スタックに積層配置してスタック化したことを特徴とする前記請求項１に記載の固体電解質形燃料電池モジュール。
【請求項３】
前記固体電解質形燃料電池スタックと前記ガス改質部とは、絶縁部材によって電気的に絶縁されていることを特徴とする前記請求項１又は２に記載の固体電解質形燃料電池モジュール。
【請求項４】
前記ガス改質部内に、燃料ガスの通路の１以上の屈曲部を備えたことを特徴とする前記請求項１〜３のいずれかに記載の固体電解質形燃料電池モジュール。
【請求項５】
前記ガス改質部の下方に、前記ガス改質部を加熱する加熱手段を備えたことを特徴とする前記請求項１〜４のいずれかに記載の固体電解質形燃料電池モジュール。
【請求項６】
前記固体電解質形燃料電池スタック、前記ガス改質部、及び前記加熱手段を、断熱容器に収容したこと特徴とする前記請求項５に記載の固体電解質形燃料電池モジュール。
【発明の詳細な説明】
【技術分野】
【０００１】
本発明は、固体電解質形燃料電池セルを複数積層した固体電解質形燃料電池スタックと燃料ガスを改質するガス改質部とを備えた固体電解質形燃料電池モジュールに関するものである。
【背景技術】
【０００２】
従来より、燃料電池として、固体電解質（固体酸化物）を用いた固体酸化物形燃料電池（以下ＳＯＦＣとも記す）が知られている。
このＳＯＦＣは、例えば板状の固体電解質体の各面に燃料極と空気極とを備えた燃料電池セルを、多数積層してスタックを形成し、燃料極に燃料ガスを供給するとともに、空気極に空気を供給し、燃料及び空気中の酸素を固体電解質体を介して化学反応させることによって電力を発生させるものである。
【０００３】
上述したＳＯＦＣは、高温型の燃料電池であり、セルを所定の温度（例えば７００〜１０００℃程度）まで上昇させないと発電することはできず、そのため、温度を上昇させる手段として、燃料電池の周辺に電気ヒータを設けて加熱する方法、燃料や空気のガスラインに加熱装置を設けて加熱する方法、燃料となる都市ガスやプロパンなどの炭化水素燃料の燃焼ガスを利用して、起動時の加熱や発電状態を維持する方法等が考えられている。
【０００４】
また、比較的小型（１〜５ｋＷ程度）のＳＯＦＣにおいては、下記特許文献１、２に記載のように、スタックから排出された余剰燃料ガスをガス排出部近傍で燃焼させ、その燃焼熱により、スタックから離れた位置に設置されたガス改質部（即ち、燃料ガスを触媒にて改質する改質触媒部）を加熱するものが知られている。
【０００５】
このとき、スタックを収容するモジュール全体、即ち、改質触媒部等の周辺装置をスタックに加えたモジュール全体をなるべくコンパクトに設計すると、モジュール外に放散する熱を小さくできるため、発電効率の向上やシステム全体の熱効率を向上させるのに有利になる。
【特許文献１】特開２００５−３２７５５３号公報
【特許文献２】特開２００５−１５８５３０号公報
【発明の開示】
【発明が解決しようとする課題】
【０００６】
ところが、モジュール内に設置する改質触媒部では、一般に水蒸気改質が採用されるが、この反応は吸熱反応であるため、スタックから排出される余剰燃料ガスから得られる燃焼ガスを用いて改質触媒部を加熱する場合には、改質触媒部がスタックから離れている場合には、熱効率が悪いという問題があった。
【０００７】
本発明は、上述した課題を解決するためになされたものであり、その目的は、スタックやモジュールをコンパクトにすることができるとともに、ガス改質部（改質触媒部）やスタックを効率良く加熱することができる固体電解質形燃料電池モジュールを提供することにある。
【課題を解決するための手段】
【０００８】
（１）請求項１の発明は、燃料ガスに接する燃料極と酸化剤ガスに接する空気極とを有する固体電解質体を備えた固体電解質形燃料電池セルを、複数積層した固体電解質形燃料電池スタックと、前記燃料極に供給する前記燃料ガスの改質を行うガス改質部と、を備えるとともに、前記固体電解質形燃料電池スタックの積層方向の下端側に前記ガス改質部を配置して、前記固体電解質形燃料電池スタックと一体化したことを特徴とする。
【０００９】
本発明では、固体電解質形燃料電池スタックの積層方向の下端側にガス改質部を配置して、固体電解質形燃料電池スタックと一体化したので、固体電解質形燃料電池モジュールをコンパクトにすることができるとともに、ガス改質部やスタックの加熱を効率良く行うことができる。
【００１０】
前記固体電解質形燃料電池モジュールとしては、固体電解質形燃料電池スタックとガス改質部とが、接合により一体化されたものが挙げられる。また、固体電解質形燃料電池スタックとガス改質部とが、内部に燃料ガス又は空気の流路を有する中空の部材（例えば中空ボルト）により一体化されたものが挙げられ、この場合は、流路により各固体電解質形燃料電池セルとガス改質部とが連通している。
【００１１】
尚、ここで、固体電解質形燃料電池セルとは、燃料極と空気極と固体電解質体とからなる構成（セル本体）を備え、ガスとの接触により発電を行う発電単位である。
（２）請求項２の発明は、前記ガス改質部は層状であり、前記固体電解質形燃料電池スタックに積層配置してスタック化（多層化）したことを特徴とする。
【００１２】
本発明では、層状のガス改質部を固体電解質形燃料電池スタックに積層してスタック化しているので、装置を一層コンパクトにできるとともに、一層熱効率を向上できる。
（３）請求項３の発明は、前記固体電解質形燃料電池スタックと前記ガス改質部とは、絶縁部材によって電気的に絶縁されていることを特徴とする。
【００１３】
本発明では、固体電解質形燃料電池スタックとガス改質部とは、例えば絶縁部材を介して一体化されているように、絶縁部材によって電気的に絶縁されているので、固体電解質形燃料電池スタックとガス改質部との間のショートを防止することができる。
【００１４】
尚、絶縁部材としては、スタックと熱膨張係数が近い、ＭｇＯとスピネルの混合焼結体シートやマイカシートを採用できる。
（４）請求項４の発明は、前記ガス改質部内に、燃料ガスの通路の１以上の屈曲部を備えたことを特徴とする。
【００１５】
本発明では、ガス改質部の燃料ガスの通路は屈曲しているので、例えば複数層のガス改質部に燃料ガスを通すことができる。よって、十分にガスの改質を行うことができる。
（５）請求項５の発明は、前記ガス改質部の下方に、前記ガス改質部を加熱する加熱手段を備えたことを特徴とする。
【００１６】
本発明では、ガス改質部の下方に、例えばバーナのような加熱手段を備えているので、ガス改質部を効率よく加熱することができる。また、ガス改質部は固体電解質形燃料電池スタックの下側に配置されているので、加熱手段によって固体電解質形燃料電池スタックも加熱することができる。
【００１７】
（６）請求項６の発明は、固体電解質形燃料電池スタック、ガス改質部、及び加熱手段を、断熱容器に収容したこと特徴とする。
本発明では、固体電解質形燃料電池スタックとガス改質部と加熱手段とは、断熱容器に収容されているので、加熱手段により、ガス改質部及び固体電解質形燃料電池スタックを効率良く加熱することができる。
【００１８】
本発明により、装置を一層コンパクトにできるとともに、一層熱効率を向上できる。
・ここで、前記固体電解質体は、電池の作動時に燃料極に導入される燃料ガス又は空気極に導入される酸化剤ガスのうちの一方の一部をイオンとして移動させることができるイオン伝導性を有する。このイオンとしては、例えば酸素イオン及び水素イオン等が挙げられる。また、燃料極は、還元剤となる燃料ガスと接触し、セルにおける負電極として機能する。空気極は、酸化剤となる酸化剤ガスと接触し、セルにおける正電極として機能する。
【００１９】
・固体電解質体の材料としては、例えばＺｒＯ2系セラミック、ＬａＧａＯ3系セラミック、ＢａＣｅＯ3系セラミック、ＳｒＣｅＯ3系セラミック、ＳｒＺｒＯ3系セラミック、及びＣａＺｒＯ3系セラミック等が挙げられる。
【００２０】
・燃料極の材料としては、例えば、Ｎｉ及びＦｅ等の金属と、Ｓｃ、Ｙ等の希土類元素のうちの少なくとも１種により安定化されたジルコニア等のＺｒＯ2系セラミック、ＣｅＯ2系セラミック等のセラミックのうちの少なくとも１種との混合物などが挙げられる。また、Ｐｔ、Ａｕ、Ａｇ、Ｐｄ、Ｉｒ、Ｒｕ、Ｒｈ、Ｎｉ及びＦｅ等の金属が挙げられる。これらの金属は１種のみでもよいし、２種以上の金属の合金でもよい。更に、これらの金属及び／又は合金と、上記セラミックの各々の少なくとも１種との混合物（サーメットを含む）が挙げられる。また、Ｎｉ及びＦｅ等の金属の酸化物と、上記セラミックの各々の少なくとも１種との混合物などが挙げられる。
【００２１】
・空気極の材料としては、例えば、各種の金属、金属の酸化物、金属の複酸化物等を用いることができる。金属としては、Ｐｔ、Ａｕ、Ａｇ、Ｐｄ、Ｉｒ、Ｒｕ及びＲｈ等の金属又は２種以上の金属を含有する合金が挙げられる。更に、金属の酸化物としては、Ｌａ、Ｓｒ、Ｃｅ、Ｃｏ、Ｍｎ及びＦｅ等の酸化物（Ｌａ2Ｏ3、ＳｒＯ、Ｃｅ2Ｏ3、Ｃｏ2Ｏ3、ＭｎＯ2及びＦｅＯ等）が挙げられる。また、複酸化物としては、少なくともＬａ、Ｐｒ、Ｓｍ、Ｓｒ、Ｂａ、Ｃｏ、Ｆｅ及びＭｎ等を含有する複酸化物（Ｌａ1-xＳｒxＣｏＯ3系複酸化物、Ｌａ1-xＳｒxＦｅＯ3系複酸化物、Ｌａ1-xＳｒxＣｏ1-yＦｅyＯ3系複酸化物、Ｌａ1-xＳｒxＭｎＯ3系複酸化物、Ｐｒ1-xＢａxＣｏＯ3系複酸化物及びＳｍ1-xＳｒxＣｏＯ3系複酸化物等）が挙げられる。
【００２２】
・そして、固体電解質形燃料電池を用いて発電を行う場合、燃料極側には燃料ガスを導入し、空気極側には酸化剤ガスを導入する。
燃料ガスとしては、水素、還元剤となる炭化水素、水素と炭化水素との混合ガス、及びこれらのガスを所定温度の水中を通過させ加湿した燃料ガス、これらのガスに水蒸気を混合させた燃料ガス等が挙げられる。炭化水素は特に限定されず、例えば、天然ガス、ナフサ、石炭ガス化ガス等が挙げられる。この燃料ガスとしては水素が好ましい。これらの燃料ガスは１種のみを用いてもよいし、２種以上を併用することもできる。また、５０体積％以下の窒素及びアルゴン等の不活性ガスを含有していてもよい。
【００２３】
酸化剤ガスとしては、酸素と他の気体との混合ガス等が挙げられる。更に、この混合ガスには８０体積％以下の窒素及びアルゴン等の不活性ガスが含有されていてもよい。これらの酸化剤ガスのうちでは安全であって、且つ安価であるため、空気（約８０体積％の窒素が含まれている。）が好ましい。
【発明を実施するための最良の形態】
【００２４】
次に、本発明の最良の形態の例（実施例）について、すなわち、固体電解質形燃料電池モジュールの実施例について説明する。
【実施例１】
【００２５】
ａ）まず、固体電解質形燃料電池モジュールの構成について説明する。
図１に示す様に、本実施例の固体電解質形燃料電池モジュール１は、燃料ガス（例えば水素）と酸化剤ガス（例えば空気（詳しくは空気中の酸素））との供給を受けて発電を行う装置である。
【００２６】
この固体電解質形燃料電池モジュール１は、図２（図１のＡ−Ａ断面図）及び図３（図１のＢ−Ｂ断面図）に示す様に、層状の固体電解質形燃料電池セル３が複数個（例えば５個）積層された固体電解質形燃料電池スタック４と、固体電解質形燃料電池スタック４の下側に配置された層状のガス改質部５とが、積層一体化された積層体（モジュール本体）である。
【００２７】
このうち、固体電解質形燃料電池セル３は、いわゆる燃料極支持膜タイプのセルであり、燃料ガス流路７側には、燃料極（アノード：負極）９が配置されるとともに、燃料極９の同図上側の表面には薄膜の固体電解質体１１が形成され、その固体電解質体１１の空気流路１３側の表面には、空気極（カソード：正極）１５が形成されている。尚、ここでは、燃料極９と固体電解質体１１と空気極１５とをセル本体１７と称する。
【００２８】
前記固体電解質形燃料電池セル３やガス改質部５の厚み方向（図２の上下方向）の両側には、導電性を有する金属製のコネクタプレート１９が配置され、このコネクタプレート１９により、各固体電解質形燃料電池セル３やガス改質部５が区分（ガス流路を分離）されるとともに、板厚方向の導通が確保されている。
【００２９】
ここで、隣り合う固体電解質形燃料電池セル３やガス改質部５の間に挟まれるコネクタプレート１９を、インターコネクタと称し、固体電解質形燃料電池モジュール１の上下両端のコネクタプレート１９を、エンドプレートと称する。
【００３０】
また、空気極１５と上方のコネクタプレート１９との間には、その導通を確保するために、空気極側集電体２１が配置され、燃料極９と下方のコネクタプレート１９との間には、その導通を確保するために、燃料極側集電体２３が配置されている。
【００３１】
更に、固体電解質形燃料電池セル３は、空気流路１３側の金属製の空気極フレーム２５と、セラミックス製の絶縁フレーム２７と、セル本体１７を接合して配置するとともにガス流路を遮断する金属製のセパレータ２９と、燃料ガス流路７側の金属製の燃料極フレーム３１とを備えている。
【００３２】
一方、前記ガス改質部５は、固体電解質形燃料電池セル３の内部空間と同様なコネクタプレート１９で挟まれた空間に、燃料ガス（例えばメタン＋水蒸気）を水素リッチな燃料ガスに改質する改質触媒層３３が充填され、その周囲を導電性を有する金属製の枠体３４で囲ったものである。
【００３３】
この改質触媒層３３は、例えば図４に示す様に、通気孔３５、３７を有する（燃料極９の材料にも使用できる）Ｎｉ−ＹＳＺの板状多孔体３９、４１から構成されるが、それ以外にも、例えば粒状Ｎｉ触媒など各種の改質触媒を利用できる。
【００３４】
そして、本実施例では、前記図２及び図３に示す様に、コネクタプレート（その外周縁部）１９と空気極フレーム２５と絶縁フレーム２７とセパレータ（その外周縁部）２９と燃料極フレーム３１と枠体３４などにより、固体電解質形燃料電池モジュール１の外周を囲む様に枠部４３が構成されており、各部材１９、２５〜３１、３４は、例えばＡｇ系等のろう材４５により接合されて一体化されている。つまり、固体電解質形燃料電池モジュール１は、ろう材４５により接合一体化されている。
【００３５】
ｂ）次に、固体電解質形燃料電池モジュール１のガス流路について説明する。
(1)空気の流路
図２に示す様に、固体電解質形燃料電池モジュール１の上方の空気入口４７から供給された空気は、枠部４３の板厚方向に空けられた空気導入孔４９に導入され、各横穴５１から各セル３内の空気流路１３に供給される。
【００３６】
次に、各セル３内の空気流路１３の空気は、同様な横穴５３及び空気排出孔５５を介して、空気出口５７から、モジュール外に排出される。
(2)燃料の流路
図３に示す様に、固体電解質形燃料電池モジュール１の下方の燃料入口５９から供給された燃料ガスは、横穴６１からガス改質部５内に導入され、改質触媒層３３にて燃料ガスの改質が行われる。
【００３７】
次に、ガス改質部５から横穴６３を介して排出された燃料ガスは、枠部４３の板厚方向に空けられた燃料ガス導入孔６５に導入され、各横穴６７から各セル内の燃料ガス流路１７に供給される。
【００３８】
次に、各セル内の燃料ガス流路７の燃料ガスは、同様な横穴６７及び燃料ガス排出孔６９を介して、燃料出口７１から、モジュール外に排出される。
ｃ）次に、固体電解質形燃料電池モジュール１の製造方法について、簡単に説明する。
【００３９】
・まず、例えばＳＵＳ４３０からなる板材を打ち抜いて、コネクタプレート１９、空気極フレーム２５、燃料極フレーム３１、セパレータ２９、枠体３４を製造した。
また、定法により、ＭｇＯとスピネルの混合物を主成分とするグリーンシートを所定形状に形成し、焼成して、絶縁フレーム２７を製造した。
【００４０】
固体電解質形燃料電池セル３のセル本体１７を、定法に従って製造した。具体的には、燃料極９のグリーンシート上に、固体電解質体１１の材料を印刷し、その上に空気極１５の材料を印刷し、その後焼成した。尚、セル本体１７は、セパレータ４５にろう付けして固定した。
【００４１】
・次に、上述したコネクタプレート１９、空気極フレーム２５、燃料極フレーム３１、（セル本体１７をろう付けした）セパレータ２９、集電体２１、２３などを一体にして、各固体電解質形燃料電池セル３を組み付けるとともに、各固体電解質形燃料電池セル３を積層してセル用積層体（図示せず）を形成した。
【００４２】
また、このセル用積層体の下側に、改質触媒層３３及び枠体３４を配置し、それらをコネクタプレート（エンドプレート）１９で挟んで、ガス改質部５を構成し、モジュール用積層体（図示せず）を形成した。
【００４３】
尚、モジュール用積層体の各部材の間には、ろう材４５を配置した。
・次に、ろう材４５を配置したモジュール用積層体を加熱し、その後冷却して、各部材がろう材４５にて接合一体化された固体電解質形燃料電池モジュール１を完成した。
【００４４】
ｃ）次に、本実施例の効果について説明する。
本実施例の固体電解質形燃料電池モジュール１は、固体電解質形燃料電池スタック４の積層方向の下端側に層状のガス改質部５を積層配置して、固体電解質形燃料電池スタック４と一体化したものである。よって、固体電解質形燃料電池モジュール１をコンパクトにすることができるとともに、ガス改質部５や固体電解質形燃料電池スタック１の加熱を、効率良く行うことができる。
【実施例２】
【００４５】
次に、実施例２について説明するが、前記実施例１と同様な内容の説明は省略する。
図５に示す様に、本実施例の固体電解質形燃料電池モジュール８１は、固体電解質形燃料電池セル８３が積層された固体電解質形燃料電池スタック８５の下端に、ガス改質部８７が積層された積層体（モジュール本体）である。
【００４６】
この固体電解質形燃料電池モジュール８１では、固体電解質形燃料電池スタック８５とガス改質部８７とは、例えばＭｇＯとスピネルの混合焼結体シート又はマイカシートからなる絶縁板８９により、電気的に絶縁されている。
【００４７】
これにより、固体電解質形燃料電池スタック８５とガス改質部８７（特に改質触媒層９１）との間のショートを防止することができる。また、改質触媒層９中とその（周囲の）枠部を電流が通過することで発生する抵抗ロスを回避できるので、より好ましい。
【００４８】
尚、本実施例の場合は、固体電解質形燃料電池スタック８５の下端のコネクタプレート（エンドプレート）９３が負極となる。また、絶縁板８９はろう材９７によりコネクタプレート９３と接合されている。
【実施例３】
【００４９】
次に、実施例３について説明するが、前記実施例１と同様な内容の説明は省略する。
図６に示す様に、本実施例の固体電解質形燃料電池モジュール１００は、前記実施例１と同様な固体電解質形燃料電池スタック１０１の下端にガス改質部１０３が積層された積層体（モジュール本体）１０５と、バーナ１０７と、断熱容器１０９とを備えている。
【００５０】
つまり、モジュール本体１０５の下方には、吸熱反応であるガス改質の反応を促進するために、ガス改質部１０３を加熱する平面燃料式のバーナ１０７を備えており、モジュール本体１０５とバーナ１０７とは、断熱容器１０９内に収容されている。
【００５１】
尚、燃料出口１１１から排出された燃料ガスは、バーナ１０７に供給されるガス（メタン＋空気）に加えられて、バーナ１０７で燃焼される。
本実施例では、ガス改質部１０３の下方にバーナ１０７を備えているので、ガス改質部１０３を効率よく加熱することができる。また、ガス改質部１０３は固体電解質形燃料電池スタック１０１の下方に配置されているので、固体電解質形燃料電池スタック１０１も加熱することができる。
【００５２】
更に、本実施例では、固体電解質形燃料電池スタック１０１とガス改質部１０３とバーナ１０７とは、断熱容器１０９に収容されているので、バーナ１０７により、ガス改質部１０３及び固体電解質形燃料電池スタック１０１を効率良く加熱することができる。
【実施例４】
【００５３】
次に、実施例４について説明するが、前記実施例１と同様な内容の説明は省略する。
図７に示す様に、本実施例の固体電解質形燃料電池モジュール１２１は、固体電解質形燃料電池スタック１２３の下端にガス改質部１２５が積層された積層体（モジュール本体）１２６を備えている。
【００５４】
このガス改質部１２５は、下層のガス改質部１２７の上部に上層のガス改質部１２９を積層配置した２層構造であり、下層のガス改質部１２７と上層のガス改質部１２９とは、屈曲した空間（屈曲部）１３１により連通している。尚、両ガス改質部１２７、１２９は、バーナ１３３により加熱される。
【００５５】
本実施例では、燃料ガスは、まず、下層のガス改質部１２７にて改質され、その後、屈曲部１３１を介して上層のガス改質部１２９に導入され、この上層のガス改質部１２９にて改質されるので、十分にガスの改質を行うことができる。
【実施例５】
【００５６】
次に、実施例５について説明するが、前記実施例１と同様な内容の説明は省略する。
図８に示す様に、本実施例の固体電解質形燃料電池モジュール１４１は、固体電解質形燃料電池スタック１４３の下端にガス改質部１４５が積層された積層体（モジュール本体）１４６と、バーナ１４９とを備えている。
【００５７】
ここでは、固体電解質形燃料電池スタック１４３とガス改質部１４５とは、例えばＭｇＯとスピネルの混合焼結体シートやマイカシートからなる絶縁板１４７により、電気的に絶縁されている。また、ガス改質部１４５は、バーナ１４９により加熱される。
【実施例６】
【００５８】
次に、実施例６について説明するが、前記実施例１と同様な内容の説明は省略する。
図９に示す様に、本実施例の固体電解質形燃料電池モジュール１５１は、固体電解質形燃料電池スタック１５３の下端側にガス改質部１５５を配置した積層体（モジュール本体）１５６を備えている。
【００５９】
前記モジュール本体１５１の各部材は、ろう材で接合一体化されるのではなく、燃料ガス（又は空気）の導入（又は排出）が行われる中空ボルト１５７で結合されて一体化されている。
【００６０】
この中空ボルト１５７の軸中心には、燃料ガスが流れる燃料ガス流路１５９が設けられている。尚、図示しないが、他の中空ボルトには、空気が流れる空気流路が設けられている。
【００６１】
尚、本発明は前記実施例になんら限定されるものではなく、本発明を逸脱しない範囲において種々の態様で実施しうることはいうまでもない。
【図面の簡単な説明】
【００６２】
【図１】実施例１の固体電解質形燃料電池モジュールを示す斜視図である。
【図２】図１のＡ−Ａ断面図である。
【図３】図１のＢ−Ｂ断面図である。
【図４】触媒充填層の形状を例示する斜視図である。
【図５】実施例２の固体電解質形燃料電池モジュールを示す断面図である。
【図６】実施例３の固体電解質形燃料電池モジュールを示す断面図である。
【図７】実施例４の固体電解質形燃料電池モジュールを示す断面図である。
【図８】実施例５の固体電解質形燃料電池モジュールを示す断面図である。
【図９】実施例６の固体電解質形燃料電池モジュールを示す断面図である。
【符号の説明】
【００６３】
１、８１、１００、１２１、１４１、１５１…固体電解質形燃料電池モジュール
３…固体電解質形燃料電池セル
４、８５、１０１、１２３、１４３、１５３…固体電解質形燃料電池スタック
５、８７、１０３、１２５、１２７、１２９、１４５、１５５…ガス改質部
９…燃料極
１１…固体電解質体
１５…空気極
１９、９３…コネクタプレート（インターコネクタ、エンドプレート）
８９、１４７…絶縁板
１０５、１２６、１４６、１５６…積層体（モジュール本体）
１０７、１３３、１４９…バーナ
１０９…断熱容器
１３１…屈曲部
【図１】
2008021596.tif 000003
【図２】
2008021596.tif 000004
【図３】
2008021596.tif 000005
【図４】
2008021596.tif 000006
【図５】
2008021596.tif 000007
【図６】
2008021596.tif 000008
【図７】
2008021596.tif 000009
【図８】
2008021596.tif 000010
【図９】
2008021596.tif 000011